(57)【要約】【課題】送られる媒体の送り方向に対する該媒体の姿勢を考慮した媒体送り装置を提供すること。【解決手段】媒体送り装置４２は、被送り媒体（Ｐ２、Ｐ３）が載置される載置部（８）と、該載置部（８）に載置された被送り媒体（Ｐ２、Ｐ３）を送り方向Ｙへ送る送り手段（３５）と、前記載置部（８）に載置された被送り媒体（Ｐ２、Ｐ３）の幅方向側端と接触して被送り媒体（Ｐ２、Ｐ３）の幅方向Ｘにおける位置を決めるエッジガイド（１１）と、該エッジガイド（１１）の少なくとも一部を変位させることにより前記送り方向Ｙに対する被送り媒体（Ｐ２、Ｐ３）の姿勢を調整する手段（１３）と、を備えていることを特徴とする。【選択図】図６
2011105401.tif 000002
【特許請求の範囲】
【請求項１】
被送り媒体が載置される載置部と、
該載置部に載置された被送り媒体を送り方向へ送る送り手段と、
前記載置部に載置された被送り媒体の幅方向側端と接触して被送り媒体の幅方向における位置を決めるエッジガイドと、
該エッジガイドの少なくとも一部を変位させることにより前記送り方向に対する被送り媒体の姿勢を調整する手段と、を備えた媒体送り装置。
【請求項２】
請求項１に記載の媒体送り装置において、前記調整する手段は、前記エッジガイドにおける送り方向上流側および下流側の一方が、他方を支点として被送り媒体の側端に対する接離方向である前記幅方向に揺動可能な構成である媒体送り装置。
【請求項３】
請求項１に記載の媒体送り装置において、前記エッジガイドは、
被送り媒体の側端と接触する第１ガイド部と、
該第１ガイド部と前記送り方向において異なる位置に設けられており、被送り媒体の側端と接触する第２ガイド部と、を有しており、
前記調整する手段は、前記第２ガイド部が被送り媒体の側端に対する接離方向である前記幅方向に変位することにより、該第２ガイド部が前記第１ガイド部に対して相対的に変位する構成である媒体送り装置。
【請求項４】
請求項１乃至３のいずれか１項に記載の媒体送り装置において、前記調整する手段は、
偏心カムと、
該偏心カムと当接するカムフォロアーと、を有しており、
該カムフォロアーは、前記エッジガイドに設けられていることを特徴とする媒体送り装置。
【請求項５】
被記録媒体を送り方向下流側へ送る媒体送り手段と、
該媒体送り手段によって送られた被記録媒体に対して記録ヘッドにより記録する記録部と、を備えた記録装置であって、
前記媒体送り手段は、請求項１乃至４のいずれか１項に記載された前記媒体送り装置を備え、前記被記録媒体は、前記被送り媒体である記録装置。
【請求項６】
請求項５に記載の記録装置において、前記送り手段は、モーターの動力によって駆動する送り駆動ローラーと、
該送り駆動ローラーに従って回転する送り従動ローラーと、を有する送りローラー対であり、
該送りローラー対は、前記送り駆動ローラーおよび前記送り従動ローラーが互いに接近した第１状態と、互いに離間した第２状態とを切り換え可能に設けられており、
被記録媒体が載置される際、前記送りローラー対が前記第２状態であり、記録実行指示により前記送りローラー対が前記第１状態に切り換えられて被記録媒体を挟持し、
前記送りローラー対が被記録媒体を挟持した状態のまま前記記録部へ送り、
前記記録部が前記送りローラー対によって挟持された状態の被記録媒体に対して記録を実行する構成である記録装置。
【発明の詳細な説明】
【技術分野】
【０００１】
本発明は、被送り媒体が載置される載置部と、該載置部に載置された被送り媒体を送り方向へ送る送り手段と、前記載置部に載置された被送り媒体の幅方向側端と接触して被送り媒体の幅方向における位置を決めるエッジガイドと、を備えた媒体送り装置および該媒体送り装置を備えた記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、記録装置の一例であるプリンターは、媒体送り装置としての給送部を有していた。該給送部は、載置部としてのホッパーと、エッジガイドと、送り手段としての給送ローラーと、を有していた。このうち、前記ホッパーは、媒体の一例である用紙が載置されるように設けられていた。また、前記エッジガイドは、載置された用紙の側端と接触して用紙の幅方向における用紙の位置および姿勢を決めるように構成されていた。またさらに、前記給送ローラーは、載置された用紙を送り方向へ送ることができるように構成されていた。
【先行技術文献】
【特許文献】
【０００３】
【特許文献１】特開２００７−２２３７８９号公報
【発明の概要】
【発明が解決しようとする課題】
【０００４】
しかしながら、前記給送部の構造が複雑になることにより装置の組み立て精度によっては、前記エッジガイドにおける用紙の側端と接触するガイド面の姿勢が、前記給送ローラーに対して直角でない虞が生じる。即ち、前記ガイド面の姿勢が送り方向に対して傾いた状態となる虞が生じる。従って、用紙を送り始める際に既に用紙の姿勢が傾いている虞があり、送られることに従って傾きが大きくなる虞がある。
【０００５】
本発明は、このような状況に鑑み成されたものであり、その課題は、送られる媒体の送り方向に対する該媒体の姿勢を考慮した媒体送り装置および該媒体送り装置を備えた記録装置を提供することである。
【課題を解決するための手段】
【０００６】
上記課題を達成するため、本発明の第１の態様の媒体送り装置は、被送り媒体が載置される載置部と、該載置部に載置された被送り媒体を送り方向へ送る送り手段と、前記載置部に載置された被送り媒体の幅方向側端と接触して被送り媒体の幅方向における位置を決めるエッジガイドと、該エッジガイドの少なくとも一部を変位させることにより前記送り方向に対する被送り媒体の姿勢を調整する手段と、を備えていることを特徴とする。
【０００７】
本発明の第１の態様によれば、前記媒体送り装置は、前記調整する手段によって前記送り方向に対する被送り媒体の姿勢を殆ど傾いていない状態にすることができる。即ち、送り方向に対する被送り媒体の姿勢の傾である所謂、スキューを低減することができる。  
また、前記媒体送り装置における前記載置部や前記エッジガイド等の部品の形状が複雑になることや、部品の点数が増加することによる公差の影響を除去することができる。
【０００８】
尚、前記調整する手段が前記エッジガイドの少なくとも一部を変位させる方向は、前記エッジガイドにおける媒体の側端と接触する箇所が該媒体の側端に対する接離方向へ変位する構成であればよい。即ち、該エッジガイド自体が変位する方向はどの方向でもよい。  
例えば、前記接触する箇所が傾斜面であって、前記幅方向外側へ向かうことに従い徐々に媒体の表裏方向における表側へ高くなるように傾斜しているとする。係る場合、前記エッジガイドを表裏方向へ変位させることにより、接触する箇所を幅方向に変位させることができ、被送り媒体の姿勢を調整することが可能である。
【０００９】
本発明の第２の態様は、第１の態様において、前記調整する手段は、前記エッジガイドにおける送り方向上流側および下流側の一方が、他方を支点として被送り媒体の側端に対する接離方向である前記幅方向に揺動可能な構成であることを特徴とする。  
本発明の第２の態様によれば、第１の態様と同様の作用効果に加え、前記調整する手段は、前記送り方向に対する前記エッジガイドの姿勢を変えることにより、前記送り方向に対する被送り媒体の姿勢を容易に調整することができる。
【００１０】
本発明の第３の態様は、第１の態様において、前記エッジガイドは、被送り媒体の側端と接触する第１ガイド部と、該第１ガイド部と前記送り方向において異なる位置に設けられており、被送り媒体の側端と接触する第２ガイド部と、を有しており、前記調整する手段は、前記第２ガイド部が被送り媒体の側端に対する接離方向である前記幅方向に変位することにより、該第２ガイド部が前記第１ガイド部に対して相対的に変位する構成であることを特徴とする。
【００１１】
本発明の第３の態様によれば、第１の態様と同様の作用効果に加え、前記調整する手段は、前記第２ガイド部が前記第１ガイド部に対して相対的に変位することにより、前記送り方向に対する被送り媒体の姿勢を容易に調整することができる。即ち、前記エッジガイドの一部を前記幅方向において被送り媒体の側端に対して進退移動させる。そして、前記エッジガイドの一部を前記幅方向へ他の箇所に対して相対的に変位させることにより、前記エッジガイド全体の姿勢を変えなくても被送り媒体の姿勢を調整することができる。
【００１２】
本発明の第４の態様は、第１から第３のいずれか一の態様において、前記調整する手段は、偏心カムと、該偏心カムと当接するカムフォロアーと、を有しており、該カムフォロアーは、前記エッジガイドに設けられていることを特徴とする。  
本発明の第４の態様によれば、第１から第３のいずれか一の態様と同様の作用効果に加え、より容易に前記調整する手段を構成することができる。また、前記偏心カムによって微調整が可能となる。その結果、前記送り方向に対する被送り媒体の姿勢の精度を向上させることができる。
【００１３】
本発明の第５の態様の記録装置は、被記録媒体を送り方向下流側へ送る媒体送り手段と、該媒体送り手段によって送られた被記録媒体に対して記録ヘッドにより記録する記録部と、を備えた記録装置であって、前記媒体送り手段は、上記第１から第４のいずれか一の態様の前記媒体送り装置を備え、前記被記録媒体は、前記被送り媒体であることを特徴とする。  
本発明の第５の態様によれば、前記媒体送り手段は、上記第１から第４のいずれか一の態様の前記媒体送り装置を備えている。従って、前記記録装置において、上記第１から第４のいずれか一の態様と同様の作用効果を得ることができる。
【００１４】
本発明の第６の態様は、第５の態様において、前記送り手段は、モーターの動力によって駆動する送り駆動ローラーと、該送り駆動ローラーに従って回転する送り従動ローラーと、を有する送りローラー対であり、該送りローラー対は、前記送り駆動ローラーおよび前記送り従動ローラーが互いに接近した第１状態と、互いに離間した第２状態とを切り換え可能に設けられており、被記録媒体が載置される際、前記送りローラー対が前記第２状態であり、記録実行指示により前記送りローラー対が前記第１状態に切り換えられて被記録媒体を挟持し、前記送りローラー対が被記録媒体を挟持した状態のまま前記記録部へ送り、前記記録部が前記送りローラー対によって挟持された状態の被記録媒体に対して記録を実行する構成であることを特徴とする。
【００１５】
本発明の第６の態様によれば、第５の態様と同様の作用効果に加え、前記送りローラー対が被記録媒体を挟持した状態のまま、前記記録部が被記録媒体に対して記録を実行する構成である。即ち、スキュー取り動作を実行できない構成である。スキュー取り動作を実行しない構成および実行できない構成において前記調整する手段は特に有効である。  
ここで、「スキュー取り」とは、送り方向に対する被記録媒体の傾いた姿勢を正すことをいう。そして、「スキュー取り動作」とは、被記録媒体の姿勢を正すための動作をいう。スキュー取り動作には、所謂、「食い付き吐き出し方式」や「突き当て方式」がある。
【００１６】
ここで、「食い付き吐き出し方式」とは、第１ローラー対より下流側に設けられた第２ローラー対が被記録媒体の先端を一度挟持し、第２ローラー対を逆転させて被記録媒体の先端側を送り方向上流側へ逆送りする。そして、第１ローラー対と第２ローラー対との間において、被記録媒体を撓ませて被記録媒体の先端を第２ローラー対のニップラインに押し付けることにより、先端の姿勢をニップラインに倣わせる方式をいう。
【００１７】
「ニップライン」とは、ローラー対の外接する箇所が成す線をいう。即ち、ローラー対における挟圧する箇所が成す線である。  
即ち、第２ローラー対に被記録媒体の先端を一度食い付かせた後、送り方向上流側へ被記録媒体の先端側を吐き出すことにより被記録媒体を撓ませて先端の姿勢をニップラインに倣わせる方式をいう。
【００１８】
一方、「突き当て方式」とは、第１ローラー対によって被記録媒体を送り方向下流側へ送り被記録媒体の先端を、停止している状態または逆転駆動している状態の第２ローラー対のニップラインに押し付けることにより、先端の姿勢をニップラインに倣わせる方式をいう。即ち、第２ローラー対に被記録媒体の先端を突き当てることにより先端の姿勢をニップラインに倣わせる方式をいう。尚、第１ローラー対と第２ローラー対との間において、被記録媒体を撓ませて先端の姿勢をニップラインに倣わせてもよいし、撓ませずに先端の姿勢をニップラインに倣わせてもよい。
【図面の簡単な説明】
【００１９】
【図１】本発明に係るプリンターの全体を示す斜視図（第２カバー部材閉）。
【図２】本発明に係るプリンターの全体を示す斜視図（第２カバー部材開）。
【図３】本発明のプリンターの内部を示す概略側面図（第１類の媒体搬送のとき）。
【図４】本発明のプリンターの内部を示す概略側面図（第２類の媒体搬送のとき）。
【図５】本発明のプリンターの内部を示す概略側面図（第３類の媒体搬送のとき）。
【図６】本発明に係るプリンターの内部を示す概略平面図。
【図７】本発明に係る調整手段を示す要部拡大斜視図。
【図８】本発明に係る調整手段を示す要部拡大斜視図。
【図９】本発明に係る調整手段を示す要部拡大平面図。
【図１０】本発明に係る調整手段を示す要部拡大平面図。
【図１１】他の実施形態に係る調整手段を示す概略平面図。
【発明を実施するための形態】
【００２０】
以下、本発明の実施の形態を図面に基づいて説明する。  
図１に示すのは、「記録装置」或いは「液体噴射装置」の一例としてのインクジェットプリンター（以下「プリンター」と言う）１の後述する第２カバー部材（第１トレイ）が閉じた状態を示す斜視図である。また、図２に示すのは、プリンターの第２カバー部材（第１トレイ）がプリンターの前方へ開いた状態であって、後述する第２トレイが前方へ突出している状態を示す斜視図である。
【００２１】
ここで、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。
【００２２】
またさらに、液体噴射ヘッドとしては、前述した記録ヘッド以外に、液晶ディスプレイ等のカラーフィルター製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。
【００２３】
図１および図２に示す如く、プリンター１は筐体２を有している。また、筐体２の内部に後述する媒体送り装置４２（図３〜図６参照）を有している。そして、プリンター１における鉛直方向上方には、第１カバー部材４が設けられている。図１および図２に示す第１カバー部材４は閉じた状態であるが、上方へ開くことにより、ユーザーが後述する第１載置部２２（図３〜図６参照）としてのホッパー２３に第１類の媒体の一例である普通紙Ｐ１をセットすることができるように設けられている。
【００２４】
ここで、「第１類の媒体」とは、後述するように第１送り手段２６（図３〜図６参照）である給送ローラー２７によって第１送り経路上（Ｒ１（図３参照））を送ることができる媒体をいう。具体的には、可撓性を有する媒体であって、後述する第２送り手段３５（図３〜図６参照）より小さい送り力を媒体に付与する第１送り手段２６（図３〜図６参照）によって送られる媒体であり、第１載置部２２（図３〜図６参照）に積層された状態から一枚ずつ送られる媒体をいう。また、「普通紙」とは、およそ重さ６０〜９０ｇ／平方ｍの普通に用いられる用紙をいう。この範囲外であってもよいのは勿論である。
【００２５】
また、プリンター１の前方にはボタン等を有する操作部３が設けられている。ユーザーが操作部３を操作することにより、記録条件や用紙等の媒体の条件等を設定することができるように構成されている。さらに、操作することにより記録実行開始の信号が制御部（図示せず）へ送られるように構成されている。  
またさらに、プリンター１の前方には第２カバー部材５が設けられている。図１に示すのは第２カバー部材５が閉じた状態である。
【００２６】
一方、図２に示すのは第２カバー部材５が開いた状態である。第２カバー部材５を開いて、第２カバー部材５の内部を引き出すようにスライドさせて伸ばした状態にすることにより、普通紙Ｐ１が排出される第１排出部６としての第１トレイ７の役割をする。  
また、第２カバー部材５を開くと、内部の第２トレイ１０がプリンター１の前方へ突出可能となる。第２トレイ１０が突出した状態では、第２トレイ１０は後述するように厚みのある媒体である第２類の媒体の一例であるボード紙、ＣＤ−ＲトレイＰ２および第３類の媒体の一例である専用紙Ｐ３を載置することができる第２載置部８の役割をする。
【００２７】
ここで、「第２類の媒体」とは、後述するように第１送り手段２６によって第１送り経路上（Ｒ１）を送ることができない媒体をいう。具体的には、可撓性を有さない剛性の高い媒体や、可撓性を有していても弾力が強い媒体をいう。また、「ボード紙」とは、パネル（ボード）がメディアと一体になったものをいう。  
また、「第３類の媒体」とは、「第２類の媒体」と同様に第１送り手段２６によって第１送り経路上（Ｒ１）を送ることができない媒体であって、可撓性の有しており「第２類の媒体」と比較して弾力が弱い媒体をいう。また、「専用紙」とは、普通紙Ｐ１とは異なり写真等の特定の目的に使用するための用紙であって普通紙Ｐ１と比較して所謂、コシが強いものをいう。「コシ」とは、弾力をいう。
【００２８】
さらに、第２トレイ１０は記録完了後のボード紙、ＣＤ−ＲトレイＰ２および専用紙Ｐ３が排出される第２排出部９としての役割をもする。  
またさらに、プリンター１の後方には可動案内部材２５が設けられている。図２に示すのは可動案内部材２５が後方へ開いた状態である。より具体的には、可動案内部材２５を開いて、可動案内部材２５の内部を引き出すようにスライドさせて上方へ伸ばした状態である。詳しくは後述するように可動案内部材２５は、専用紙Ｐ３を記録する際に開いた状態にすることにより媒体の送り経路（Ｒ３）を側視曲がった構成とするように設けられている（図５参照）。
【００２９】
［普通紙（第１類の媒体）の場合］
【００３０】
続いて、プリンター１の内部について説明する。  
図３に示すのは、普通紙（第１類の媒体）を搬送し記録するときにおけるプリンターの内部を示す概略側面図である。  
図３に示す如く、プリンター１は、媒体を送る媒体送り装置４２と、記録部３０と、を備えている。また、媒体送り装置４２は、第１載置部２２と、第１送り手段２６と、分離手段２８と、第２送り手段３５と、記録部３０と、第３送り手段３８と、第１排出部６と、を備えている。このうち、第１載置部２２は、普通紙Ｐ１を載置することができるように設けられている。具体的には、第１載置部２２は、ホッパー２３と、第１エッジガイド２４と、を有している。
【００３１】
そして、ホッパー２３は、載置された普通紙Ｐ１と一体となって、後述する給送ローラー２７に対して接離移動することができるように設けられている。また、第１エッジガイド２４は、ホッパー２３と一体に給送ローラー２７に対して接離移動し、普通紙Ｐ１の幅方向両側において該幅方向Ｘにホッパー上を移動することができるように一対設けられている。
【００３２】
従って、ホッパー上に載置された普通紙Ｐ１の両側側端をきれいに揃えることができる。また、ホッパー上において、幅方向Ｘにおける普通紙Ｐ１の位置を精度良く決めることができる。  
また、第１送り手段２６は、ホッパー上の普通紙Ｐ１を送り方向下流側へ送ることができるように設けられている。具体的には、第１送り手段２６は、図示しない第１モーターによって駆動する給送ローラー２７を有している。
【００３３】
そして、ホッパー上の給送ローラー２７に対して最上位の普通紙Ｐ１と接触したときの摩擦力により、最上位の普通紙Ｐ１を送り方向下流側へ送ることができるように設けられている。  
尚、本実施形態では、第１載置部２２であるホッパー２３が給送ローラー２７に対して接離移動する構成としたが、これに限られるものではない。ホッパー２３と給送ローラー２７とが相対的に接離移動する構成であればよい。言い換えると、給送ローラー２７がホッパー２３に対して接離移動する構成でもよいのは勿論である。
【００３４】
またさらに、分離手段２８は、第１送り手段２６によって送られる普通紙Ｐ１が複数枚重なっている場合に余分な次位以降の普通紙Ｐ１を最上位の普通紙Ｐ１から分離することができるように設けられている。具体的には、分離手段２８は、一例として公知技術である所定の負荷を伴って回転するローラーである所謂、リタードローラー２９を有している。  
尚、分離手段２８は、摩擦係数が高い素材で形成されたパッドでもよいのは勿論である。
【００３５】
そして、最上位の普通紙Ｐ１の先端は、第１案内部４３より記録時の送り方向下流側（Ｙ軸の矢印方向）に設けられた第２案内部４４によって第２送り手段３５へ案内されるように構成されている。  
ここで、第１案内部４３は、後述するように専用紙Ｐ３、ボード紙、ＣＤ−Ｒトレイ等Ｐ２の媒体である場合に該媒体を案内するように構成されている。
【００３６】
また、第２送り手段３５は、普通紙Ｐ１の場合は第１送り手段２６によって送られてきた普通紙Ｐ１をさらに送り方向下流側の記録部３０へ送ることができるように構成されている。  
尚、詳しくは後述するが専用紙Ｐ３、ボード紙、ＣＤ−Ｒトレイ等Ｐ２の媒体である場合は、これらの媒体を記録時の送り方向上流側および下流側へ送ることができるように構成されている。
【００３７】
具体的には、第２送り手段３５は、第１ローラー対３６を有している。第１ローラー対３６は、第２モーター４１の動力によって駆動する第１駆動ローラー３６ａと、従動回転する第１従動ローラー３６ｂとによって構成されている。さらに、第２送り手段３５は、詳しくは後述するが第１接離移動手段３７によって第１駆動ローラー３６ａと第１従動ローラー３６ｂとが相対的に接離移動することができるように構成されている。即ち、接近した状態と、離間した状態とを切り換え可能に構成されている。本実施形態では、第１従動ローラー３６ｂが第１駆動ローラー３６ａに対して接離移動することができるように設けられている。
【００３８】
尚、第１駆動ローラー３６ａが第１従動ローラー３６ｂに対して接離移動する構成でもよいのは勿論である。本実施形態において第１従動ローラー３６ｂが第１駆動ローラー３６ａに対して接離移動する構成とした理由は、第１駆動ローラー３６ａへの動力伝達機構を考慮すると駆動する側が移動可能な構成と比較して従動回転する側が移動可能な構成とする方が容易だからである。  
また、接離移動させる手段である第１接離移動手段３７としては、カム機構やギア機構によって動力を伝達する機構を挙げることができる。
【００３９】
また、第１送り手段２６から第２送り手段３５へ普通紙Ｐ１が送られる際、送り方向に対する普通紙Ｐ１の姿勢を正すための動作である所謂、スキュー取り動作を実行するように構成されている。  
スキュー取り動作は、所謂、「食い付き吐き出し方式」でも「突き当て方式」でもよい。  
ここで、「食い付き吐き出し方式」とは、第２送り手段３５である第１ローラー対３６が普通紙Ｐ１の先端を一度挟持し、第１ローラー対３６を逆転させて普通紙Ｐ１の先端側を送り方向上流側へ逆送りする。そして、第１送り手段２６である給送ローラー２７と第２送り手段３５である第１ローラー対３６との間において、普通紙Ｐ１を撓ませて普通紙Ｐ１の先端を第１ローラー対３６のニップラインに押し付けることにより、先端の姿勢をニップラインに倣わせる方式をいう。
【００４０】
即ち、第１ローラー対３６に普通紙Ｐ１の先端を一度食い付かせた後、送り方向上流側へ普通紙Ｐ１の先端側を吐き出すことにより普通紙Ｐ１を撓ませて先端の姿勢をニップラインに倣わせる方式をいう。  
ここで、「ニップライン」とは、第１ローラー対３６の外接する箇所が成す線をいう。即ち、第１ローラー対３６における挟圧する箇所が成す線である。
【００４１】
一方、「突き当て方式」とは、給送ローラー２７によって普通紙Ｐ１を送り方向下流側へ送り普通紙Ｐ１の先端を、停止している状態または逆転駆動している状態の第１ローラー対３６のニップラインに押し付けることにより、先端の姿勢をニップラインに倣わせる方式をいう。即ち、第１ローラー対３６に普通紙Ｐ１の先端を突き当てることにより先端の姿勢をニップラインに倣わせる方式をいう。尚、給送ローラー２７と第１ローラー対３６との間において、普通紙Ｐ１を撓ませて先端の姿勢をニップラインに倣わせてもよいし、撓ませずに先端の姿勢をニップラインに倣わせてもよい。
【００４２】
従って、普通紙Ｐ１の場合は、送り方向に対する普通紙Ｐ１の姿勢が傾いていたときであっても普通紙Ｐ１の姿勢を正してから記録部３０へ送ることができる。  
また、記録部３０は、送られてきた普通紙等の媒体（Ｐ１〜Ｐ３）に対して記録を実行することができるように構成されている。具体的には、記録部３０は、記録ヘッド３１と、媒体支持部３４と、を有している。
【００４３】
このうち、記録ヘッド３１は、ノズル列３２よりインク滴を吐出することにより記録を実行することができるように設けられている。また、媒体支持部３４は、記録ヘッド３１と対向する位置に設けられている。そして、普通紙等の媒体（Ｐ１〜Ｐ３）を鉛直方向下方から支持することにより、記録ヘッド３１と普通紙等の媒体（Ｐ１〜Ｐ３）との間を所定の間隔を保つことができるように設けられている。
【００４４】
尚、記録部３０において、送られる媒体（Ｐ１〜Ｐ３）の材質、厚み等の種類に応じて記録ヘッド３１と、媒体支持部３４との間のＺ軸方向における間隔を調整することができるように構成されているものとする。言い換えると、記録ヘッド３１と、媒体支持部３４とが相対的に変位することができるように構成されているものとする。この変位は、手動でも自動でもよい。  
ここで、Ｚ軸の方向は、記録ヘッド３１と媒体（Ｐ１〜Ｐ３）とが対向する方向である。
【００４５】
記録ヘッド３１が媒体支持部３４に対して変位する構成でもよいし、逆に媒体支持部３４が記録ヘッド３１に対して変位する構成でもよい。これは、送られる媒体（Ｐ１〜Ｐ３）と記録ヘッド３１との接触を防止するためである。これにより、記録ヘッド３１が破損すること、汚れること、媒体（Ｐ１〜Ｐ３）が破損することや汚れることを防止することができる。
【００４６】
またさらに、第３送り手段３８は、記録部３０より記録時の送り方向下流側に設けられ、記録された媒体（Ｐ１〜Ｐ３）を送り方向下流側へさらに送ることができるように設けられている。具体的に、第３送り手段３８は、前述した第２送り手段３５と同様に第２ローラー対３９を有している。第２ローラー対３９は、第２モーター４１の動力によって駆動する第２駆動ローラー３９ａと、従動回転する第２従動ローラー３９ｂとによって構成されている。
【００４７】
さらに、第３送り手段３８は、詳しくは後述するが第１接離移動手段３７と同様の構成の第２接離移動手段４０によって第２駆動ローラー３９ａと第２従動ローラー３９ｂとが相対的に接離移動することができるように構成されている。即ち、接近した状態と、離間した状態とを切り換え可能に構成されている。本実施形態では、第２従動ローラー３９ｂが第２駆動ローラー３９ａに対して接離移動することができるように設けられている。
【００４８】
また、第１排出部６は、記録部３０において記録された普通紙Ｐ１が第３送り手段３８によって送り方向下流側へ送られて排出される際、該普通紙Ｐ１を受け止めて積層することができるように設けられている。具体的に、第１排出部６は、第３送り手段３８より記録時の送り方向下流側であって鉛直方向下方に設けられた第１トレイ７を有している。従って、連続して排出された普通紙Ｐ１を積層することができる。
【００４９】
以上、説明したように、媒体が普通紙Ｐ１の場合は、第１載置部２２から第１排出部６までの経路である第１送り経路Ｒ１に案内されるように構成されている。  
尚、図３において、理解を容易にするために第２排出部９の図示は省略してある。第２排出部９である第２トレイ１０は、普通紙Ｐ１を第１トレイ上に排出する妨げとならない位置に位置しているものとする。
【００５０】
［ボード紙、ＣＤ−Ｒトレイ等（第２類の媒体）の場合］
【００５１】
次に、媒体がボード紙、ＣＤ−Ｒトレイ等（第２類の媒体）の場合について説明する。  
図４に示すのは、ボード紙、ＣＤ−Ｒトレイ等を搬送し記録するときにおけるプリンターの内部を示す概略側面図である。  
図４に示す如く、可動案内部材２５が閉じた状態では、第２トレイ１０の上面、媒体支持部３４の上面、第２案内部４４の上面および第１案内部４３の上面によって側視一直線上となるように構成されている。
【００５２】
そして、第２トレイ１０の上面、媒体支持部３４の上面、第２案内部４４の上面および第１案内部４３の上面によってボード紙、ＣＤ−Ｒトレイ等Ｐ２が送られる送り経路である第２送り経路Ｒ２が構成される。即ち、第２送り経路Ｒ２は、側視一直線上に構成されている。この理由は、媒体がボード紙、ＣＤ−Ｒトレイ等Ｐ２の場合、媒体が剛体であるためまたは弾力が強いため側視湾曲した第１送り経路上（Ｒ１）を送ることができない。そのために側視一直線上に構成された第２送り経路Ｒ２を第１送り経路Ｒ１とは別に設ける必要があるからである。  
尚、後述する第３類の媒体（Ｐ３）の場合も第２類の媒体（Ｐ２）と同様に第２送り経路上（Ｒ２）を送ることができることは言うまでもない。
【００５３】
具体的には、媒体がボード紙、ＣＤ−Ｒトレイ等Ｐ２の場合、ユーザーは、ボード紙、ＣＤ−Ｒトレイ等Ｐ２をプリンター１の前方の第２載置部８である第２トレイ１０に載置する。この際、操作部３で媒体の種類を設定することにより、第１ローラー対３６は、第１接離移動手段３７によって前記離間した状態となる。同様に、第２ローラー対３９は、第２接離移動手段４０によって前記離間した状態となる。そして、ユーザーは、第２トレイ上において媒体の種類に応じて該媒体を所定の位置に合わせる。  
ここで、「所定の位置」とは、媒体（Ｐ２、Ｐ３）の一部が第１ローラー対３６の第１駆動ローラー３６ａと第１従動ローラー３６ｂとの間に位置する位置をいう。
【００５４】
その後、ユーザーは操作部３を操作することにより記録実行開始の信号が制御部へ送られる。これにより、第１ローラー対３６は前記接近した状態に切り換えられる。従って、媒体（Ｐ２、Ｐ３）が第１ローラー対３６によって挟持された状態となる。  
ここで、第１ローラー対３６と記録ヘッド３１との間において、媒体（Ｐ２、Ｐ３）の有無を検出することができる第１センサー３３が設けられている。従って、プリンター１は、媒体（Ｐ２、Ｐ３）がセットされたと判断することができる。この判断に基づいて、制御部が第１ローラー対３６を前記接近した状態に切り換える。仮に媒体（Ｐ２、Ｐ３）がセットされていないと判断した場合は、エラー表示をしてもよい。
【００５５】
尚、第２ローラー対３９は前記離間した状態のままである。これは、第１ローラー対３６によって媒体（Ｐ２、Ｐ３）を送る精度を出すように構成されているからである。第２ローラー対３９を第１ローラー対３６と同様に前記接近した状態に切り換えてもよいのは勿論である。係る場合、前記「所定の位置」は、媒体（Ｐ２、Ｐ３）の一部が第２ローラー対３９の第２駆動ローラー３９ａと第２従動ローラー３９ｂとの間に位置する位置であればよい。
【００５６】
そして、第１ローラー対３６に挟持された媒体（Ｐ２、Ｐ３）は、第１センサー３３が媒体（Ｐ２、Ｐ３）を検出しなくなるまで、記録時の送り方向上流側へ送られる。この際、媒体（Ｐ２、Ｐ３）は、第２トレイ１０、媒体支持部３４、第２案内部４４および第１案内部４３によって案内されながら第２送り経路上（Ｒ２）における記録時の送り方向上流側へ移動する。  
ここで、媒体（Ｐ２、Ｐ３）の長さが長い場合、媒体（Ｐ２、Ｐ３）における記録時の送り方向上流側は、第１案内部４３に案内されながら、筐体２の外側へ突出することができるように構成されている。即ち、プリンター１の後方へ突出することができるように構成されている。
【００５７】
そして、プリンター１は、第１センサー３３が媒体（Ｐ２、Ｐ３）を検出しなくなったタイミングによって、媒体（Ｐ２、Ｐ３）における記録時の送り方向下流端の位置を把握することができる。即ち、記録時における媒体（Ｐ２、Ｐ３）の先端の位置を把握することができる。これに基づいて第１ローラー対３６を駆動させることにより、記録時における媒体（Ｐ２、Ｐ３）の先端の位置を記録開始時の基準位置に合わせることができる。所謂、頭出しである。  
尚、このとき、媒体（Ｐ２、Ｐ３）は第１ローラー対３６に挟持されたままの状態である。
【００５８】
その後、媒体（Ｐ２、Ｐ３）は第１ローラー対３６によって記録時の送り方向下流側へ送られ、記録部３０によって記録されるように構成されている。記録が完了すると、第１ローラー対３６によって媒体（Ｐ２、Ｐ３）は記録時の送り方向下流側へさらに送られ、第２トレイ１０に排出される。即ち、ユーザーが媒体（Ｐ２、Ｐ３）をセットした位置と略同じ位置に排出される。
【００５９】
尚、操作部３で媒体（Ｐ２、Ｐ３）の種類を設定することにより、第２トレイ１０が第３送り手段３８より記録時の送り方向下流側であって鉛直方向Ｚにおいて同じ高さとなる位置へ移動するように構成してもよい。第２トレイ１０の移動は、図示しないモーターの動力によって移動する構成でもよいし、手動で位置を切り換える構成でもよい。  
また、普通紙Ｐ１の場合の排出を妨げない場合であって、第２トレイ１０の上面が媒体支持部３４の上面と鉛直方向Ｚにおいて同じ高さであれば、普通紙Ｐ１の場合と同じ位置であってもよい。係る場合、第２カバー部材５を前方に開く動作と連動して第２トレイ１０の位置が図４に示す位置まで移動する構成としてもよい。
【００６０】
また、制御部は、図示しない第２センサーを用いて可動案内部材２５が図４に示す閉じた状態か否かを判定するように構成されているものとする。ボード紙、ＣＤ−Ｒトレイ等Ｐ２が送られる送り経路である第２送り経路Ｒ２が、プリンター１の後方において開放された状態か否かを判断するためである。  
そして、開いている場合はユーザーに対して注意をして閉じた状態とするように促すように構成されている。例えば、操作部３に設けた液晶パネル等の表示部にその旨を表示したり、警告音を発したりすることにより促すことができる。
【００６１】
［専用紙（第３類の媒体）の場合］
【００６２】
続いて、媒体が専用紙（第３類の媒体）の場合について説明する。  
図５に示すのは、専用紙を搬送し記録するときにおけるプリンターの内部を示す概略側面図である。  
図５に示す如く、可動案内部材２５が開いた状態では、第２トレイ１０の上面、媒体支持部３４の上面、第２案内部４４の上面および第１案内部４３の上面により第１直線区間Ｓ１が構成される。さらに、第１案内部４３の上面における記録時の送り方向上流側および可動案内部材２５の揺動支点側によって側視湾曲した区間Ｓ２が構成される。またさらに、可動案内部材２５の自由端側によって第２直線区間Ｓ３が構成される。
【００６３】
そして、第１直線区間Ｓ１、側視湾曲した区間Ｓ２および第２直線区間Ｓ３によって専用紙Ｐ３が送られる送り経路である第３送り経路Ｒ３が構成される。即ち、第３送り経路Ｒ３は、プリンター１の後方において側視湾曲した区間Ｓ２を有するように構成されている。この理由は、可撓性のある媒体である専用紙Ｐ３が、ボード紙、ＣＤ−Ｒトレイ等Ｐ２と同様に第２載置部８に載置され、記録実行前の段階において記録時の送り方向上流側へ送られた際、専用紙Ｐ３における記録時の送り方向上流側の姿勢を曲げるためである。
【００６４】
これにより、プリンター１の後方へ媒体（Ｐ３）が突出する距離を、第２送り経路Ｒ２を用いた場合と比較して短くすることができる。従って、プリンター１の後方近傍に部屋の壁等の障害物があった場合であっても、記録実行前の段階においてプリンター１の後方へ突出した媒体（Ｐ３）が障害物と接触する虞を殆ど無にすることができる。その結果、専用紙Ｐ３の場合、第２送り経路Ｒ２ではなく第３送り経路Ｒ３を使用することにより、プリンター１の後方において第２送り経路Ｒ２の使用時に必要であった十分に広い空間を確保する必要がない。
【００６５】
即ち、専用紙Ｐ３の場合においてはプリンター１の後方に十分な広い空間を確保するためにプリンター１を前方へ移動させるユーザーの手間を無くすことができる。  
尚、専用紙Ｐ３は普通紙Ｐ１と比較して弾力が強く、送り経路との間で生じる摩擦抵抗等が大きい。そのため、給送ローラー２７では十分な送り力を専用紙Ｐ３に対して付与することが困難であり、第１送り経路Ｒ１で普通紙Ｐ１と同様には送ることができない。
【００６６】
このような理由により、専用紙Ｐ３は、ボード紙、ＣＤ−Ｒトレイ等Ｐ２と同様に第２載置部８に載置され、第１ローラー対３６に挟持されて記録時の送り方向上流側および下流側へ送られるように構成されている。  
ここで、第１ローラー対３６は、媒体（Ｐ３）をしっかりと挟持する構成であることにより、給送ローラー２７と比較して、媒体（Ｐ３）に対して大きい送り力を付与することができるものとする。
【００６７】
そして、専用紙Ｐ３は、第１送り経路Ｒ１で普通紙Ｐ１と同様には送ることはできないが、ボード紙、ＣＤ−Ｒトレイ等Ｐ２と比べて、可撓性を有しており、弾力が弱い媒体であるものとする。  
その後、前述したボード紙、ＣＤ−Ｒトレイ等Ｐ２の場合と同様に、第１ローラー対３６に挟持された専用紙Ｐ３は、第１センサー３３が専用紙Ｐ３を検出しなくなるまで、記録時の送り方向上流側へ送られる。この際、専用紙Ｐ３は、第２トレイ１０、媒体支持部３４、第２案内部４４、第１案内部４３および可動案内部材２５によって案内されながら第３送り経路上（Ｒ３）における記録時の送り方向上流側へ移動する。
【００６８】
そして、プリンター１は、第１センサー３３が専用紙Ｐ３を検出しなくなったタイミングによって、専用紙Ｐ３における記録時の送り方向下流端の位置を把握することができる。即ち、記録時における専用紙Ｐ３の先端の位置を把握することができる。これに基づいて第１ローラー対３６を駆動させることにより、記録時における専用紙Ｐ３の先端の位置を記録開始時の基準位置に合わせることができる。所謂、頭出しである。  
尚、このとき、専用紙Ｐ３は第１ローラー対３６に挟持されたままの状態である。
【００６９】
その後、専用紙Ｐ３は第１ローラー対３６によって記録時の送り方向下流側へ送られ、記録部３０によって記録されるように構成されている。記録が完了すると、第１ローラー対３６によって専用紙Ｐ３は記録時の送り方向下流側へさらに送られ、第２トレイ１０に排出される。即ち、ユーザーが専用紙Ｐ３をセットした位置と略同じ位置に排出される。
【００７０】
続いて、本発明に係る調整手段１３について説明する。  
図６に示すのは、本発明に係るプリンターの内部を示す概略平面図である。  
図６に示す如く、第２載置部８としての第２トレイ１０における幅方向Ｘの一端側には、第２エッジガイド１１が設けられている。第２エッジガイド１１は、第２トレイ１０にセットされた専用紙Ｐ３、ボード紙、ＣＤ−Ｒトレイ等Ｐ２の媒体における側端と接触し、該媒体（Ｐ２、Ｐ３）の幅方向Ｘにおける位置および送り方向に対する姿勢を決めることができるように設けられている。
【００７１】
また、第２トレイ１０には、送り方向に対する媒体（Ｐ２、Ｐ３）の姿勢を調整する調整手段１３が設けられている。  
具体的には、調整手段１３は、第２エッジガイド１１の姿勢を調整することができ、第２エッジガイド１１の姿勢を調整することにより媒体（Ｐ２、Ｐ３）の姿勢を調整することができるように構成されている。本実施形態の調整手段１３は、一例として偏心カム部１４と、カムフォロアー部１７とを有している。
【００７２】
このうち、偏心カム部１４は、第２トレイ１０において第１支点軸１５を支点に回動可能に設けられている。  
一方、カムフォロアー部１７は、第２エッジガイド１１に設けられており、偏心カム部１４と接触するように構成されている。そして、偏心カム部１４が作用することにより、第２エッジガイド１１が第２支点軸１８を支点に揺動するように設けられている。以下、調整手段１３について、より詳しく説明する。
【００７３】
図７に示すのは、本発明に係る調整手段を示す要部拡大斜視図である。また、図８に示すのは、本発明に係る調整手段を示す要部拡大斜視図であって理解を容易にするために図７から第２エッジガイドの図示を省略した図である。またさらに、図９に示すのは、本発明に係る調整手段を示す要部拡大平面図である。また、図１０に示すのは、本発明に係る調整手段を示す要部拡大斜視図であって、媒体の姿勢を調整している様子を示す図である。
【００７４】
図７から図１０に示す如く、偏心カム部１４は第１支点軸１５を支点に回動可能に設けられている。ここで、偏心カム部１４は、第１支点軸１５に対して偏心している。そして、偏心カム部１４の自由端には、歯状のギザギザ部１６が形成されている。そして、ギザギザ部１６の一部が、第２トレイ１０に形成された爪部２１と噛み合うように構成されている。即ち、段階的に偏心カム部１４の姿勢を変えて、噛み合わせることにより偏心カム部１４の姿勢を安定させることができるように構成されている。また、噛み合った状態の偏心カム部１４をネジで固定することができるように設けられている。
【００７５】
またさらに、第２エッジガイド１１は、付勢手段１９の一例であるばね２０によって偏心カム部１４に対して接近する方向へ付勢されている。従って、第２エッジガイド１１に形成されたカムフォロアー部１７は、常に偏心カム部１４と接触した状態となる。そして、偏心カム部１４を回動させ姿勢を変えることにより、第２エッジガイド１１の姿勢を変えることができるように構成されている。
【００７６】
その結果、第２エッジガイド１１における媒体（Ｐ２、Ｐ３）と接触する面であるガイド面１２の姿勢を、第１ローラー対３６の姿勢に対して直交するように調整することができる。具体的には、媒体（Ｐ２、Ｐ３）を第２トレイ１０にセットし、媒体（Ｐ２、Ｐ３）の一の側端をガイド面１２に合わせる。そして、操作部３を操作して所定のテストパターンが記録されるモードを選択して実行ボタンを押す。  
ここで、「テストパターン」とは、送り方向に対して平行な線や直交する線等から構成される模様であって、送り方向に対して媒体（Ｐ２、Ｐ３）の姿勢がどの程度傾いているか否かを判断する目安となるものをいう。
【００７７】
その操作により、前述した第２送り経路Ｒ２または第３送り経路Ｒ３によって案内されながら所定のテストパターンが記録され第２トレイ１０に排出される。そして、ねじを緩めてテストパターンに基づいて目視により偏心カム部１４を回動させ、第２エッジガイド１１の姿勢をＺ軸方向に設けられた第２支点軸１８を支点に僅かに揺動させる。これにより、媒体（Ｐ２、Ｐ３）が第２トレイ１０にセットされた際の送り方向に対する該媒体（Ｐ２、Ｐ３）の姿勢の傾きを略無にすることができる。
【００７８】
第２載置部８の構造が複雑である場合や、第２載置部８の部品点数が多い場合、公差等によって第２エッジガイド１１のガイド面１２の姿勢が送り方向に対して傾きやすい傾向にあるので、係る場合に調整手段１３は特に有効である。  
また、第２載置部８に媒体（Ｐ２、Ｐ３）がセットされる場合では、前述したようにスキュー取り動作を実行しない構成またはできない構成である。係る場合に調整手段１３は特に有効である。
【００７９】
尚、本実施形態では、手動で偏心カム部１４を回動させ第２エッジガイド１１の姿勢を調整する構成としたが、自動で調整する構成でもよい。例えば、テストパターンに基づいて媒体（Ｐ２、Ｐ３）が傾いていた程度の情報をユーザーが操作部３において入力するように構成してもよい。そして、入力された情報に基づいて図示しないモーターの動力により自動で偏心カム部１４を回動させるように構成してもよい。また、テストパターンを認識することができる読み取り部を設けて、読み取った情報に基づいて自動で偏心カム部１４を回動させるように構成してもよいのは勿論である。
【００８０】
また、調整手段１３は、第２載置部８における載置された媒体（Ｐ２、Ｐ３）の姿勢を調整するものとして説明したが、第１載置部２２における載置された媒体（Ｐ１）の姿勢を調整するものでもよいのは勿論である。係る場合、第１エッジガイド２４の姿勢を調整することにより送り方向に対する普通紙Ｐ１の姿勢を調整することができる。その結果、記録実行時における普通紙Ｐ１の姿勢の精度を向上させることができる。  
またさらに、上記の調整手段１３は、第２載置部８において幅方向一端側のみについて調整する構成としたが、両側において調整する構成としてもよいのは勿論である。
【００８１】
本実施形態において、一端側のみについて調整する構成としたのは、両側で調整する構成と比較して一方のみを調整するだけなので、その分調整が容易だからである。  
また、本実施形態では、第２エッジガイド１１における記録時の送り方向下流側を支点に上流側を幅方向Ｘに揺動させる構成としたが、逆に上流側を支点に下流側を揺動させる構成としてもよいのは勿論である。係る構成である場合も同様の作用効果を得ることができるからである。
【００８２】
本実施形態の媒体送り装置４２は、被送り媒体の一例であるボード紙またはＣＤ−ＲトレイＰ２（第２類の媒体）および専用紙Ｐ３（第３類の媒体）が載置される載置部である第２載置部８と、第２載置部８に載置されたボード紙、ＣＤ−ＲトレイＰ２（第２類の媒体）および専用紙Ｐ３（第３類の媒体）を送り方向へ送る送り手段である第２送り手段３５と、第２載置部８に載置されたボード紙、ＣＤ−ＲトレイＰ２（第２類の媒体）および専用紙Ｐ３（第３類の媒体）の幅方向側端と接触してボード紙、ＣＤ−ＲトレイＰ２（第２類の媒体）および専用紙Ｐ３（第３類の媒体）の幅方向Ｘにおける位置を決めるエッジガイドである第２エッジガイド１１と、第２エッジガイド１１の少なくとも一部を変位させることにより送り方向に対するボード紙、ＣＤ−ＲトレイＰ２（第２類の媒体）および専用紙Ｐ３（第３類の媒体）の姿勢を調整する手段である調整手段１３と、を備えていることを特徴とする。
【００８３】
また、本実施形態において、調整手段１３は、第２エッジガイド１１における送り方向上流側および下流側の一方が、他方である第２支点軸１８を支点としてボード紙、ＣＤ−ＲトレイＰ２（第２類の媒体）および専用紙Ｐ３（第３類の媒体）の側端に対する接離方向である幅方向Ｘに揺動可能な構成であることを特徴とする。  
またさらに、本実施形態において、調整手段１３は、偏心カムである偏心カム部１４と、偏心カム部１４と当接するカムフォロアーであるカムフォロアー部１７と、を有しており、カムフォロアー部１７は、第２エッジガイド１１に設けられていることを特徴とする。
【００８４】
本実施形態の記録装置であるプリンター１は、被記録媒体の一例であるボード紙、ＣＤ−ＲトレイＰ２（第２類の媒体）および専用紙Ｐ３（第３類の媒体）を送り方向下流側へ送る媒体送り手段である媒体送り装置４２と、媒体送り装置４２によって送られたボード紙、ＣＤ−ＲトレイＰ２（第２類の媒体）および専用紙Ｐ３（第３類の媒体）に対して記録ヘッド３１により記録する記録部３０と、を備えていることを特徴とする。
【００８５】
また、本実施形態において、第２送り手段３５は、モーターである第２モーター４１の動力によって駆動する送り駆動ローラーとしての第１駆動ローラー３６ａと、第１駆動ローラー３６ａに従って回転する送り従動ローラーとしての第１従動ローラー３６ｂと、を有する送りローラー対としての第１ローラー対３６であり、第１ローラー対３６は、第１駆動ローラー３６ａおよび第１従動ローラー３６ｂが互いに接近した第１状態と、互いに離間した第２状態とを切り換え可能に設けられており、ボード紙、ＣＤ−ＲトレイＰ２（第２類の媒体）および専用紙Ｐ３（第３類の媒体）の一が載置される際、第１ローラー対３６が前記第２状態であり、記録実行指示により第１ローラー対３６が前記第１状態に切り換えられてボード紙、ＣＤ−ＲトレイＰ２（第２類の媒体）または専用紙Ｐ３（第３類の媒体）を挟持し、第１ローラー対３６がボード紙、ＣＤ−ＲトレイＰ２（第２類の媒体）または専用紙Ｐ３（第３類の媒体）を挟持した状態のまま記録部３０へ送り、記録部３０が第１ローラー対３６によって挟持された状態のボード紙、ＣＤ−ＲトレイＰ２（第２類の媒体）または専用紙Ｐ３（第３類の媒体）に対して記録を実行する構成であることを特徴とする。
［他の実施形態］
【００８６】
図１１に示すのは、他の実施形態に係る調整手段を示す概略平面図である。  
図１１に示す如く、他の実施形態において、第２エッジガイド５０は第１ガイド部５１および第２ガイド部５２を有している。  
尚、その他の部材については前述した実施形態と同様であるので、同じ符号を用いるものとしその説明は省略する。
【００８７】
このうち、第１ガイド部５１は、第２トレイ１０と一体に形成されている。即ち、第１ガイド部５１は、幅方向Ｘに固定されている。一方、第２ガイド部５２は、送り方向において第１ガイド部５１と異なる位置に設けられている。また、第２ガイド部５２は、幅方向Ｘにおいて媒体（Ｐ２、Ｐ３）の側端に対して接離するように変位することができるように構成されている。変位する構成としては、例として前述した実施形態と同様に偏心カム部１４とカムフォロアー部１７とを有する構成が挙げられる。  
従って、前述した実施形態と同様に、媒体（Ｐ２、Ｐ３）が第２トレイ１０にセットされた際の送り方向に対する該媒体（Ｐ２、Ｐ３）の姿勢の傾きを略無にすることができる。
【００８８】
他の実施形態において、第２エッジガイド５０は、ボード紙、ＣＤ−ＲトレイＰ２（第２類の媒体）および専用紙Ｐ３（第３類の媒体）の側端と接触する第１ガイド部５１と、第１ガイド部５１と送り方向において異なる位置に設けられており、ボード紙、ＣＤ−ＲトレイＰ２（第２類の媒体）および専用紙Ｐ３（第３類の媒体）の側端と接触する第２ガイド部５２と、を有しており、調整手段１３は、第２ガイド部５２がボード紙、ＣＤ−ＲトレイＰ２（第２類の媒体）および専用紙Ｐ３（第３類の媒体）の側端に対する接離方向である幅方向Ｘに変位することにより、第２ガイド部５２が第１ガイド部５１に対して相対的に変位する構成であることを特徴とする。
【００８９】
尚、前記調整手段が第２エッジガイドの少なくとも一部を変位させる方向は、第２エッジガイドの第２ガイド部における媒体（Ｐ２、Ｐ３）の側端と接触する箇所が該媒体の側端に対する接離方向（Ｘ）へ変位する構成であればよい。即ち、第２エッジガイド自体が変位する方向はどの方向でもよい。  
例えば、第２ガイド部における前記接触する箇所が傾斜面であって、前記幅方向外側へ向かうことに従い徐々に媒体の表裏方向における表側へ高くなるように傾斜しているとする。
【００９０】
係る場合、第２エッジガイドの第２ガイド部を表裏方向（Ｚ軸方向）へ変位させることにより、接触する箇所を幅方向Ｘに変位させることができ、媒体（Ｐ２、Ｐ３）の姿勢を調整することが可能である。  
また、本発明は上記実施例に限定されることなく、特許請求の範囲に記載した発明の範囲内で、種々の変形が可能であり、それらも本発明の範囲内に含まれるものであることは言うまでもない。
【符号の説明】
【００９１】
１  プリンター、２  筐体、３  操作部、４  第１カバー部材、５  第２カバー部材、
６  第１排出部、７  第１トレイ、８  第２載置部、９  第２排出部、
１０  第２トレイ、１１  第２エッジガイド、１２  ガイド面、１３  調整手段、
１４  偏心カム部、１５  第１支点軸、１６  ギザギザ部、１７  カムフォロアー部、
１８  第２支点軸、１９  付勢手段、２０  ばね、２１  爪部、２２  第１載置部、
２３  ホッパー、２４  第１エッジガイド、２５  可動案内部材、２６  第１送り手段、
２７  給送ローラー、２８  分離手段、２９  リタードローラー、３０  記録部、
３１  記録ヘッド、３２  ノズル列、３３  第１センサー、３４  媒体支持部、
３５  第２送り手段、３６  第１ローラー対、３６ａ  第１駆動ローラー、
３６ｂ  第１従動ローラー、３７  第１接離移動手段、３８  第３送り手段、
３９  第２ローラー対、３９ａ  第２駆動ローラー、３９ｂ  第２従動ローラー、
４０  第２接離移動手段、４１  第２モーター、４２  媒体送り装置、
４３  第１案内部、４４  第２案内部、５０  （他の実施形態の）第２エッジガイド、
５１  第１ガイド部、５２  第２ガイド部、Ｐ１  普通紙（第１類の媒体）、
Ｐ２  ボード紙またはＣＤ−Ｒトレイ（第２類の媒体）、
Ｐ３  専用紙（第３類の媒体）、Ｒ１  第１送り経路、Ｒ２  第２送り経路、
Ｒ３  第３送り経路、Ｓ１  第１直線区間、Ｓ２  湾曲した区間、Ｓ３  第２直線区間、
Ｘ  幅方向、Ｙ  記録時の送り方向、
Ｚ  記録ヘッドと媒体とが対向する方向（鉛直方向）
【図１】
2011105401.tif 000003
【図２】
2011105401.tif 000004
【図３】
2011105401.tif 000005
【図４】
2011105401.tif 000006
【図５】
2011105401.tif 000007
【図６】
2011105401.tif 000008
【図７】
2011105401.tif 000009
【図８】
2011105401.tif 000010
【図９】
2011105401.tif 000011
【図１０】
2011105401.tif 000012
【図１１】
2011105401.tif 000013
【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
被送り媒体が載置される載置部と、
該載置部に載置された被送り媒体を送り方向へ送る送り手段と、
前記載置部に載置された被送り媒体の幅方向側端と接触して被送り媒体の幅方向における位置を決めるエッジガイドと、
該エッジガイドにおける被送り媒体との接触箇所が送り方向に沿う線上となるように、該エッジガイドの少なくとも一部を変位させることにより、前記送り方向に対する被送り媒体の姿勢を調整する手段と、を備えた媒体送り装置。
【請求項２】
請求項１に記載の媒体送り装置において、前記調整する手段は、前記エッジガイドにおける送り方向上流側および下流側の一方が、他方を支点として被送り媒体の側端に対する接離方向である前記幅方向に揺動可能な構成である媒体送り装置。
【請求項３】
請求項１に記載の媒体送り装置において、前記エッジガイドは、
被送り媒体の側端と接触する第１ガイド部と、
該第１ガイド部と前記送り方向において異なる位置に設けられており、被送り媒体の側端と接触する第２ガイド部と、を有しており、
前記調整する手段は、前記第２ガイド部が被送り媒体の側端に対する接離方向である前記幅方向に変位することにより、該第２ガイド部が前記第１ガイド部に対して相対的に変位する構成である媒体送り装置。
【請求項４】
請求項３に記載の媒体送り装置において、前記第１ガイド部における被送り媒体の側端と接触する点を第１の接点とし、
前記第２ガイド部における被送り媒体の側端と接触する点を第２の接点とした場合、
前記第１の接点と、前記第２の接点とを結んだ仮想線が前記送り方向に沿うように、前記第２ガイド部を変位させることにより、被送り媒体の姿勢を調整する構成である媒体送り装置。
【請求項５】
請求項１乃至４のいずれか１項に記載の媒体送り装置において、前記調整する手段は、
偏心カムと、
該偏心カムと当接するカムフォロアーと、を有しており、
該カムフォロアーは、前記エッジガイドに設けられていることを特徴とする媒体送り装置。
【請求項６】
被記録媒体を送り方向下流側へ送る媒体送り手段と、
該媒体送り手段によって送られた被記録媒体に対して記録ヘッドにより記録する記録部と、を備えた記録装置であって、
前記媒体送り手段は、請求項１乃至５のいずれか１項に記載された前記媒体送り装置を備え、前記被記録媒体は、前記被送り媒体である記録装置。
【請求項７】
請求項６に記載の記録装置において、前記送り手段は、モーターの動力によって駆動する送り駆動ローラーと、
該送り駆動ローラーに従って回転する送り従動ローラーと、を有する送りローラー対であり、
該送りローラー対は、前記送り駆動ローラーおよび前記送り従動ローラーが互いに接近した第１状態と、互いに離間した第２状態とを切り換え可能に設けられており、
被記録媒体が載置される際、前記送りローラー対が前記第２状態であり、記録実行指示により前記送りローラー対が前記第１状態に切り換えられて被記録媒体を挟持し、
前記送りローラー対が被記録媒体を挟持した状態のまま前記記録部へ送り、
前記記録部が前記送りローラー対によって挟持された状態の被記録媒体に対して記録を実行する構成である記録装置。